(57)【要約】  ある方法は、第１の装置によって計算可能なスケジューリングヘッドルームと第２の装置によって計算可能なスケジューリングヘッドルームとの間に不一致が存在するか否かを決定することと、上記不一致が存在すると決定された場合、上記第２の装置が上記スケジューリングヘッドルームの計算の基礎を置く１以上の負荷測定結果を決定することと、上記１以上の負荷測定結果を修正することと、及び上記修正された１以上の負荷測定結果に基づいて上記スケジューリングヘッドルームを計算することと、を含み得る。【選択図】図１
2010518686.tif 000002
【特許請求の範囲】
【請求項１】
第１の装置によって計算可能なスケジューリングヘッドルームと第２の装置によって計算可能なスケジューリングヘッドルームとの間に不一致が存在するか否かを決定することと；
前記不一致が存在すると決定された場合、前記第２の装置が前記スケジューリングヘッドルームの計算の基礎を置く１以上の負荷測定結果を決定することと；
前記１以上の負荷測定結果を修正することと；
前記修正された１以上の負荷測定結果に基づいて前記スケジューリングヘッドルームを計算することと、
を含む方法。
【請求項２】
前記修正することは：
前記第１の装置によって、前記１以上の負荷測定結果を修正すること、を含み、前記方法は、前記第１の装置によって、前記修正された１以上の負荷測定結果を前記第２の装置へ送信すること、をさらに含む、請求項１の方法。
【請求項３】
さらに：
前記第１の装置によって、前記１以上の負荷測定結果を前記スケジューリングヘッドルームの不一致についての追加情報とともに前記第２の装置へ送信すること；を含み、前記修正することは、前記第２の装置によって、前記１以上の負荷測定結果を前記スケジューリングヘッドルームの不一致に関する上記追加情報に基づいて修正すること、を含む、
請求項１の方法。
【請求項４】
さらに：
拡張専用チャネルに関連付けられる有効干渉除去分を決定すること、を含み、前記拡張専用チャネルに関連付けられる前記有効干渉除去分は、前記追加情報に相当する、
請求項３の方法。
【請求項５】
前記拡張専用チャネルに関連付けられる前記有効干渉除去分を決定することは：
干渉除去プロセスが採用される前に前記スケジュールされた拡張専用チャネルからの干渉を決定することと；
干渉除去プロセスが採用された後に前記スケジュールされた拡張専用チャネルからの干渉を決定することと；
前記干渉除去プロセスの前に決定された前記干渉と、前記干渉除去プロセスの後に決定された前記干渉との間の差分に基づいて前記拡張専用チャネルに関連付けられる前記有効干渉除去分を決定することと：
を含む、請求項４の方法。
【請求項６】
前記決定することは：
他セル負荷を計算すること、
を含む、請求項１の方法。
【請求項７】
前記計算することは：
前記他セル負荷と最小の他セル負荷との間の差分値がゼロでない値を生み出すか否かを決定すること、
を含む、請求項６の方法。
【請求項８】
前記修正することは：
前記差分値が前記ゼロでない値を生み出す場合、Ｉｕｂインターフェイスに関連する前記１以上の負荷測定結果を修正すること、
を含む、請求項６の方法。
【請求項９】
さらに：
第１の装置によって、干渉除去を実行することと；
残っている干渉電力に相当する有効干渉を決定することと、
を含む、請求項１の方法。
【請求項１０】
前記修正することは：
受信されたスケジュールされた電力及び受信されたスケジュールされない電力に関連付けられる前記有効干渉に基づいてＲＴＷＰに対応する前記１以上の負荷測定結果を修正すること、
を含む、請求項９の方法。
【請求項１１】
前記修正することは：
受信されたスケジュールされた電力及び受信されたスケジュールされない電力に関連付けられる前記有効干渉に基づいてＲＳＥＰＳに対応する前記１以上の負荷測定結果を修正すること、
を含む、請求項９の方法。
【請求項１２】
さらに：
前記第１の装置によって、修正されたＲＴＷＰ測定結果及び修正されたＲＳＥＰＳ測定結果を前記第２の装置へ送信すること、
を含む、請求項１の方法。
【請求項１３】
命令を記憶するためのメモリ；
及び、前記命令を実行するためのプロセッサ、
を含む装置であって：
前記プロセッサは、
前記装置と別の装置との間にスケジューリングヘッドルームに関連する不一致が存在するか否かを決定し、
前記不一致が存在すると決定された場合、前記装置及び前記他の装置との間で共有されるインターフェイスに関連付けられる電力測定結果を修正し、及び、
前記他の装置に修正された電力測定結果を提供する：
ための命令を実行するプロセッサである、
装置。
【請求項１４】
前記プロセッサは：スケジューリングヘッドルームに関連する不一致が存在するか否かを決定する際、
セル間干渉に基づいて他セル負荷を計算する、
ように構成される、請求項１３の装置。
【請求項１５】
前記プロセッサは：前記他セル負荷を計算する際、
最小の他セル負荷が前記他セル負荷を超えるか否かを決定する、
ように構成される、請求項１４の装置。
【請求項１６】
前記プロセッサは：前記電力測定結果を修正する際、
前記不一致が存在すると決定された場合、修正されたＲＴＷＰ測定結果、修正されたＲＲＴＷＰ測定結果、又は修正されたＲＳＥＰＳ測定結果のうち少なくとも１つを計算する、
ように構成される、請求項１３の装置。
【請求項１７】
前記インターフェイスは、Ｉｕｂインターフェイスを含む、請求項１６の装置。
【請求項１８】
前記プロセッサは：計算する際、
前記修正されたＲＴＷＰ測定結果、前記修正されたＲＲＴＷＰ測定結果、又は前記修正されたＲＳＥＰＳ測定結果のうち少なくとも１つを最小の他セル負荷と他セル負荷との間の差分に等しい差分値に基づいて計算する、
ように構成される、請求項１６の装置。
【請求項１９】
前記プロセッサは：
干渉除去が実行された後の有効干渉を決定する、
ための命令をさらに実行する、請求項１３の装置。
【請求項２０】
前記プロセッサは：前記電力測定結果を修正する際、
修正されたＲＴＷＰ測定結果又は修正されたＲＳＥＰＳ測定結果のうち少なくとも１つを前記有効干渉に基づいて計算する、
ように構成される、請求項１９の装置。
【請求項２１】
前記プロセッサは：前記他の装置に前記修正された電力測定結果を提供する際、
前記修正されたＲＴＷＰ測定結果及び前記修正されたＲＳＥＰＳ測定結果を前記他の装置に提供し；
及び、未修正のＲＴＷＰ測定結果を前記他の装置に提供する、
ように構成される、請求項２０の装置。
【請求項２２】
前記プロセッサは：前記有効干渉を決定する際、
干渉除去の対象となる接続及び干渉除去の対象とならない接続を決定する、
ように構成される、請求項１９の装置。
【請求項２３】
前記装置は無線基地局であり、前記他の装置は無線ネットワークコントローラである、請求項１３の装置。
【請求項２４】
無線基地局によって実行可能な命令を含むコンピュータにより読取可能な媒体であって：
前記無線基地局と無線ネットワークコントローラとの間にスケジュールしない負荷に関連する不一致が存在するか否かを決定するための１以上の命令と；
前記スケジュールしない負荷の不一致が存在する場合、１以上のインターフェイス測定結果を修正するための１以上の命令と；
修正された１以上のインターフェイス測定結果を前記無線ネットワークコントローラへ送信するための１以上の命令と、
を含むコンピュータにより読取可能な媒体。
【請求項２５】
前記決定するための１以上の命令は：
最小の他セル負荷の値が他セル負荷の値を超えるか否かを計算するための１以上の命令、
を含む、請求項２４のコンピュータにより読取可能な媒体。
【請求項２６】
前記計算するための１以上の命令は：
前記最小の他セル負荷の値が前記他セル負荷の値を超える量である差分値を生成するための１以上の命令、
を含む、請求項２５のコンピュータにより読取可能な媒体。
【請求項２７】
前記１以上のインターフェイス測定結果は、ＲＳＥＰＳ測定結果を含み、前記修正するための１以上の命令は：
前記ＲＳＥＰＳ測定結果から前記差分値を差し引くための１以上の命令、
を含む、請求項２６のコンピュータにより読取可能な媒体。
【請求項２８】
前記修正するための１以上の命令は：
前記１以上のインターフェイス測定結果を前記差分値に基づいて修正するための１以上の命令、
を含む、請求項２７のコンピュータにより読取可能な媒体。
【請求項２９】
前記１以上のインターフェイス測定結果は、ＲＴＷＰ測定結果、ＲＲＴＷＰ測定結果、又はＲＳＥＰＳ測定結果のうち少なくとも１つを含む、請求項２７のコンピュータにより読取可能な媒体。
【請求項３０】
前記１以上のインターフェイス測定結果は、Ｉｕｂインターフェイスに関連する、請求項２４のコンピュータにより読取可能な媒体。
【請求項３１】
さらに：
干渉除去スキームが実行された後に干渉電力を決定するための１以上の命令、
を含む、請求項２４のコンピュータにより読取可能な媒体。
【請求項３２】
さらに：
１以上の修正されたインターフェイス測定結果を前記干渉電力に基づいて計算するための１以上の命令、
を含む、請求項３１のコンピュータにより読取可能な媒体。
【請求項３３】
前記干渉電力に基づいて修正された１以上のインターフェイス測定結果は、修正されたＲＴＷＰ測定結果を含む、請求項３２のコンピュータにより読取可能な媒体。
【請求項３４】
前記干渉電力に基づいて修正された１以上のインターフェイス測定結果は、修正されたＲＳＥＰＳ測定結果を含む、請求項３２のコンピュータにより読取可能な媒体。
【請求項３５】
命令を記憶するためのメモリ；並びに
スケジューリングヘッドルームの不一致の決定に関連付けられる１以上の負荷測定結果及び有効除去干渉情報を受信し；
前記１以上の負荷測定結果を前記有効除去干渉情報に基づいて修正し；
及び、前記修正された１以上の負荷測定結果に基づいてスケジューリングヘッドルームを計算する；
ための前記命令を実行するためのプロセッサ：
を含む装置。
【請求項３６】
前記有効除去干渉情報は、スケジュールされた拡張専用チャネルに関連付けられる有効除去干渉情報に相当する、請求項３５の装置。
【請求項３７】
前記プロセッサは：前記スケジュールされたヘッドルームを計算する際、
受信されたスケジュールされた拡張専用チャネル電力（ＲＳＥＰ）をＲＴＷＰ測定結果及びＲＳＥＰＳ測定結果を含む前記１以上の負荷測定結果に基づいて計算し、
総除去干渉を計算し、
前記ＲＳＥＰ及び前記ＲＴＷＰを前記総除去干渉の前記計算に基づいて修正し、
並びに、前記修正されたＲＳＥＰ及び前記修正されたＲＴＷＰに基づいて前記ＲＳＥＰＳを修正する、
ようにさらに構成される、請求項３６の装置。
【請求項３８】
さらに：
前記第２の装置によって、流入制御又は輻輳制御パラメータのうち少なくとも１つを前記修正されたＲＴＷＰ測定結果又は前記修正されたＲＳＥＰＳ測定結果のうち少なくとも１つに基づいて計算すること、
を含む、請求項１２の方法。
【発明の詳細な説明】
【技術分野】
【０００１】
ここに説明される概念は、ネットワークにおける方法及び構成に関する。特に、ここに説明される概念は、ネットワークにおける負荷測定結果（load  measurements）及びリソース管理を提供するための方法及び構成に関する。
【背景技術】
【０００２】
３ＧＰＰ（the  Third  Generation  Partnership  Project）リリース９９のフレームワークの下で、無線ネットワークコントローラ（ＲＮＣ）は、リソース及びユーザの移動性を制御し得る。リソース制御は、流入制御（admission  control）、輻輳制御（congestion  control）、及びチャネルタイプの切替えを含んでもよい。アップリンクデータは、データ制御のためのＥ−ＤＰＣＣＨ（Enhanced  Dedicated  Physical  Control  Channel）及びデータのためのＥ−ＤＰＤＣＨ（Enhanced  Dedicated  Physical  Data  Channel）を含み得るＥ−ＤＣＨ（Enhanced  Dedicated  Channel）へ割り当てられ得る。Ｅ−ＤＰＣＣＨ及びＥ−ＤＰＤＣＨは、不連続であってもよく、及び送信されるべきアップリンクデータがある場合にのみ送信されてもよい。加えて、アップリンクデータは、連続的なＤＰＤＣＨ（Dedicated  Physical  Data  Channel）で送信されてもよい。無線基地局（ＲＢＳ）は、各加入者がどのトランスポートフォーマットをＥ−ＤＰＤＣＨ上で使用し得るかを決定するアップリンクスケジューラを含んでもよい。
【０００３】
前述されているように、ＲＮＣは、流入制御及び輻輳制御に関与し得る。例えば、ＲＮＣは、ＲＢＳにおける負荷を監視し及び制御してもよい。ＲＮＣは、これらの動作をＲＢＳからのＩｕｂインターフェイス測定結果に基づいて実行してもよい。アップリンクに関連するＩｕｂ測定結果は、ＲＴＷＰ（received  total  wideband  power）（すなわち、アップリンク受信機における総受信電力）、ＲＲＴＷＰ（reference  received  total  wideband  power）（すなわち、熱雑音のＲＴＷＰへの寄与）、及びＲＳＥＰＳ（received  scheduled  E-DCH  power  share）（すなわち、ＲＴＷＰに関連する拡張アップリンク（ＥＵＬ）スケジューラ（例えば、Ｅ−ＤＰＣＣＨ及びＥ−ＤＰＤＣＨ）によって制御されるリソースからの受信電力）を含んでもよい。１つの実装において、Ｉｕｂ測定結果は、ＮＢＡＰ（Node  B  Application  Part）レポートにおいてＲＢＳによってＲＮＣへ送信されてもよい。いくつかの事例において、ＮＢＡＰレポートは、直接の比較を可能とするために同じ時間間隔でのＲＳＥＰＳ及びＲＴＷＰの両方を含んでもよい。
【０００４】
図１は、一例としてのアップリンクの干渉寄与を含む一例としてのアップリンクスタック１００を示している。図１において図示されているように、総アップリンク干渉（I−total）１４０は、背景雑音干渉１０５、他セル干渉１１０、ＤＰＤＣＨ干渉１１５、ＤＰＣＣＨ干渉１２０、スケジュールされない（non−scheduled）干渉１２５、及びスケジュールされた（scheduled）干渉１３０を含み得る。スケジュールされない干渉１２５は、Ｅ−ＤＰＣＣＨ、Ｅ−ＤＰＤＣＨ、及びＨＳ−ＤＰＣＣＨ（High  Speed  Dedicated  Physical  Control  Channel）からの干渉を含み得る。ＨＳ−ＤＰＣＣＨは、ＨＳ−ＤＳＣＨ（High  Speed  Downlink  Shared  Channel）上を送信されるダウンリンクデータに関連するアップリンクの確認応答に用いられ得る。スケジュールされた干渉１３０は、Ｅ−ＤＰＣＣＨ及びＥ−ＤＰＤＣＨからの干渉を含み得る。スケジュールされた干渉の干渉寄与は、アップリンクのスケジュールされた干渉（Ｉ_sch）１３５によってさらに示されている。
【０００５】
Ｉｕｂインターフェイス上の測定結果に基づき、次のことが次の式に従って評価され得る：
【０００６】
【数１】
2010518686.tif 000003
【０００７】
このような事例において、スケジュールされない負荷の評価は、他のセルからのセル間干渉に起因する負荷を含んでもよい。加えて、Ｅ−ＤＣＨのＤＰＣＣＨはスケジュールされないと考えられ得るので、Ｅ−ＤＣＨは、スケジュールされない負荷を生み出し得る。
【０００８】
スケジュールされた負荷及びスケジュールされない負荷のバランスをとる際、必ずスケジュールされたデータについて十分なヘッドルームがあるようにするために、スケジュールされない負荷が、ＲＮＣの流入制御への入力として使用され得る。スケジュールされたＥ−ＤＣＨを対象としたこの再割当て可能なリソースは、“スケジューリングヘッドルーム”と呼ばれる。これは:
【０００９】
【数２】
2010518686.tif 000004
【００１０】
のように表わされ得る。ここでLnr,maxは、例えばカバレッジ又は電力制御安定メトリックに基づくセルの最大アップリンク相対負荷である。
【００１１】
目標のスケジューリングヘッドルームについて、目標のスケジュールされない負荷であるセルのLnon-sched,targetが導かれてもよく、これと評価されたその時点のスケジュールされない負荷とが比較され得る。このような比較において、まだアクティブでない直近に流入した接続からの流入した負荷Ladmが含まれてもよい。その結果、次の式が満たされる場合、ユーザが認められてもよい：
【００１２】
【数３】
2010518686.tif 000005
【００１３】
例えば、負荷評価アルゴリズム（ＬＥＡ）及び／又はスケジューラによって考慮されるマージンは、利用可能なスケジューリングヘッドルームに影響を及ぼし得る。例えば、ＲＮＣは、流入制御及び／又は輻輳制御の目的のためにＬＥＡを採用し得る。加えて、又は代わりに、ＲＢＳは、スケジューリングのためにＬＥＡを採用し、及び／又は、スケジューラに基づいて加入者に許可を与え得る。ＬＥＡは、自分のセル内のスケジュールされない接続からの負荷の寄与Lnon-sched,ownを計算し、及び他セル負荷の寄与Lother（すなわち、他セルの受信電力シェア）の評価を保持し得る。例えば、他セル負荷の寄与は、他のセルからの受信電力とＲＴＷＰとの間の割合と等しくてもよい。その際、スケジューラは、次の式に従ってスケジューリングヘッドルームを考慮し得る：
【００１４】
【数４】
2010518686.tif 000006
【００１５】
さらに、セル間干渉についてのマージンを保持するために、及び他セル負荷の寄与の評価誤差に対して頑強であるために、他セル負荷の寄与は、最小の他セル負荷の寄与Lother  minによって、下方から制限され得る。１つの実装において、Lother  minは、固定値であってもよい。そのため、スケジューラは、次の式に従ってスケジューリングヘッドルームを考慮し得る：
【００１６】
【数５】
2010518686.tif 000007
【００１７】
必ずしもアクティブであるとは限らないこのようなマージンは、Ｉｕｂ測定結果に算入されない可能性がある。加えて、ＬＥＡ及び／又はスケジューラによって利用される他のマージンであって、Ｉｕｂ測定結果には算入されない一方で、ＲＢＳにより考慮されるスケジューリングヘッドルームを減少させる可能性のある他のマージンが存在し得る。その結果、このようなマージンは、ＲＮＣには知り得ないものであり、従って考慮されない可能性がある。
【００１８】
加えて、マルチユーザ検出器スキーム及び／又は干渉除去スキームが、セル内干渉を除去するためにＲＢＳによって採用され得る。このようなスキームへの１つのアプローチは、検出された接続から干渉信号を再生し、及び受信信号から再生された干渉信号を差し引くことを含む。そのため、Ｅ−ＤＣＨからの有効干渉電力は、実際の受信電力よりも少なくなり得る。それ故に、ＲＳＥＰＳは、Ｅ−ＤＣＨとＤＣＨとの間の実際のバランスを反映していない可能性がある。
【発明の概要】
【発明が解決しようとする課題】
【００１９】
上記不都合の少なくともいくつかを未然に防ぎ、及びネットワークの運用を改善することを目的とする。
【課題を解決するための手段】
【００２０】
１つの観点によれば、ある方法は、第１の装置によって計算可能なスケジューリングヘッドルームと第２の装置によって計算可能なスケジューリングヘッドルームとの間に不一致が存在するか否かを決定することと、上記不一致が存在すると決定された場合、上記第２の装置が上記スケジューリングヘッドルームの計算の基礎を置く１以上の負荷測定結果を決定することと、上記１以上の負荷測定結果を修正することと、上記修正された１以上の負荷測定結果に基づいて上記スケジューリングヘッドルームを計算することと、を含み得る。
【００２１】
加えて、上記修正することは、上記第１の装置によって、上記１以上の負荷測定結果を修正すること、を含んでもよく、上記方法は、上記第１の装置によって、上記修正された１以上の負荷測定結果を上記第２の装置へ送信すること、をさらに含んでもよい。
【００２２】
加えて、上記第１の装置によって、上記１以上の負荷測定結果を上記スケジューリングヘッドルームの不一致についての追加情報とともに上記第２の装置へ送信すること、をさらに含んでもよく、上記修正することは、上記第２の装置によって、上記１以上の負荷測定結果を上記スケジューリングヘッドルームの不一致に関する上記追加情報に基づいて修正すること、を含んでもよい。
【００２３】
加えて、上記方法は、拡張専用チャネルに関連付けられる有効干渉除去分を決定すること、を含んでもよく、上記拡張専用チャネルに関連付けられる上記有効干渉除去分は、上記追加情報に相当する。
【００２４】
加えて、上記拡張専用チャネルに関連付けられる上記有効干渉除去分を決定することは、干渉除去プロセスが採用される前に上記スケジュールされた拡張専用チャネルからの干渉を決定することと、干渉除去プロセスが採用された後に上記スケジュールされた拡張専用チャネルからの干渉を決定することと、上記干渉除去プロセスの前に決定された上記干渉と、上記干渉除去プロセスの後に決定された上記干渉との間の差分に基づいて上記拡張専用チャネルに関連付けられる上記有効干渉除去分を決定することと、を含んでもよい。
【００２５】
加えて、上記決定することは、他セル負荷を計算すること、を含んでもよい。
【００２６】
加えて、上記計算することは、上記他セル負荷と最小の他セル負荷との間の差分値がゼロでない値を生み出すか否かを決定すること、を含んでもよい。
【００２７】
加えて、上記修正することは、上記差分値が上記ゼロでない値を生み出す場合、Ｉｕｂインターフェイスに関連する上記１以上の負荷測定結果を修正すること、を含んでもよい。
【００２８】
加えて、上記方法は、第１の装置によって、干渉除去を実行することと、残っている干渉電力に相当する有効干渉を決定することと、を含んでもよい。
【００２９】
加えて、上記修正することは、受信されたスケジュールされた電力及び受信されたスケジュールされない電力に関連付けられる上記有効干渉に基づいてＲＳＥＰＳに対応する上記１以上の負荷測定結果を修正すること、を含んでもよい。
【００３０】
加えて、上記方法は、上記第１の装置によって、修正されたＲＴＷＰ測定結果及び修正されたＲＳＥＰＳ測定結果を上記第２の装置へ送信すること、を含んでもよい。
【００３１】
加えて、上記方法は、上記第２の装置によって、流入制御又は輻輳制御パラメータのうち少なくとも１つを上記修正されたＲＴＷＰ測定結果又は上記修正されたＲＳＥＰＳ測定結果のうち少なくとも１つに基づいて計算すること、をさらに含む。
【００３２】
他の観点によれば、ある装置は、命令を記憶するためのメモリ、及び、上記命令を実行するためのプロセッサ、を含んでもよい。上記プロセッサは、上記装置と別の装置との間にスケジューリングヘッドルームに関連する不一致が存在するか否かを決定し、上記不一致が存在すると決定された場合、上記装置及び上記他の装置との間で共有されるインターフェイスに関連付けられる電力測定結果を修正し、及び、上記他の装置に修正された電力測定結果を提供する、ための命令を実行し得る。
【００３３】
加えて、上記プロセッサは、スケジューリングヘッドルームに関連する上記不一致が存在するか否かを決定する際、セル間干渉に基づいて他セル負荷を計算する、ように構成されてもよい。
【００３４】
加えて、上記プロセッサは、上記他セル負荷を計算する際、最小の他セル負荷が上記他セル負荷を超えるか否かを決定する、ように構成されてもよい。
【００３５】
加えて、上記プロセッサは、上記電力測定結果を修正する際、上記不一致が存在すると決定された場合、修正されたＲＴＷＰ測定結果、修正されたＲＲＴＷＰ測定結果、又は修正されたＲＳＥＰＳ測定結果のうち少なくとも１つを計算する、ように構成されてもよい。
【００３６】
加えて、上記インターフェイスは、Ｉｕｂインターフェイスを含んでもよい。
【００３７】
加えて、上記プロセッサは、計算する際、上記修正されたＲＴＷＰ測定結果、上記修正されたＲＲＴＷＰ測定結果、又は上記修正されたＲＳＥＰＳ測定結果のうち少なくとも１つを最小の他セル負荷と他セル負荷との間の差分に等しい差分値に基づいて計算する、ように構成されてもよい。
【００３８】
加えて、上記プロセッサは、干渉除去が実行された後の有効干渉を決定する、ための命令をさらに実行してもよい。
【００３９】
加えて、上記プロセッサは、上記電力測定結果を修正する際、修正されたＲＴＷＰ測定結果又は修正されたＲＳＥＰＳ測定結果のうち少なくとも１つを上記有効干渉に基づいて計算する、ように構成されてもよい。
【００４０】
加えて、上記プロセッサは、上記他の装置に上記修正された電力測定結果を提供する際、上記修正されたＲＴＷＰ測定結果及び上記修正されたＲＳＥＰＳ測定結果を上記他の装置に提供し、及び、未修正のＲＴＷＰ測定結果を上記他の装置に提供する、ように構成されてもよい。
【００４１】
加えて、上記プロセッサは、上記有効干渉を決定する際、干渉除去の対象となる接続及び干渉除去の対象とならない接続を決定する、ように構成されてもよい。
【００４２】
加えて、上記装置は無線基地局を含んでもよく、上記他の装置は無線ネットワークコントローラを含んでもよい。
【００４３】
さらに他の観点によれば、無線基地局によって実行可能な命令を含み得るコンピュータにより読取可能な媒体であって、上記コンピュータにより読取可能な媒体は、上記無線基地局と無線ネットワークコントローラとの間にスケジュールしない負荷に関連する不一致が存在するか否かを決定するための１以上の命令と、上記スケジュールしない負荷の不一致が存在する場合、１以上のインターフェイス測定結果を修正するための１以上の命令と、修正された１以上のインターフェイス測定結果を上記無線基地局コントローラへ送信するための１以上の命令と、を含み得る。
【００４４】
加えて、上記決定するための１以上の命令は、最小の他セル負荷の値が他セル負荷の値を超えるか否かを計算するための１以上の命令、を含んでもよい。
【００４５】
加えて、上記計算するための１以上の命令は：
上記最小の他セル負荷の値が上記他セル負荷の値を超える量である差分値を生成するための１以上の命令、を含んでもよい。
【００４６】
加えて、上記１以上のインターフェイス測定結果は、ＲＳＥＰＳ測定結果を含んでもよく、及び上記修正するための１以上の命令は、上記ＲＳＥＰＳ測定結果から上記差分値を差し引くための１以上の命令、を含んでもよい。
【００４７】
加えて、上記修正するための１以上の命令は、上記１以上のインターフェイス測定結果を上記差分値に基づいて修正するための１以上の命令、を含んでもよい。
【００４８】
加えて、上記１以上のインターフェイス測定結果は、ＲＴＷＰ測定結果、ＲＲＴＷＰ測定結果、又はＲＳＥＰＳ測定結果のうち少なくとも１つを含む。
【００４９】
加えて、上記１以上のインターフェイス測定結果は、Ｉｕｂインターフェイスに関連してもよい。
【００５０】
加えて、上記コンピュータにより読取可能な媒体は、
干渉除去スキームが実行された後に干渉電力を決定するための１以上の命令、をさらに含んでもよい。
【００５１】
加えて、上記コンピュータにより読取可能な媒体は、１以上の修正されたインターフェイス測定結果を上記干渉電力に基づいて計算するための１以上の命令、
をさらに含んでもよい。
【００５２】
加えて、上記干渉電力に基づいて修正された１以上のインターフェイス測定結果は、修正されたＲＴＷＰ測定結果を含んでもよい。
【００５３】
加えて、上記干渉電力に基づいて修正された１以上のインターフェイス測定結果は、修正されたＲＳＥＰＳ測定結果を含んでもよい。
【００５４】
さらに別の観点によれば、ある装置は、命令を記憶するためのメモリ、及び、上記命令を実行するためのプロセッサ、を含んでもよい。上記プロセッサは、スケジューリングヘッドルームの不一致の決定に関連付けられる１以上の負荷測定結果及び有効除去干渉情報を受信し、上記１以上の負荷測定結果を上記有効除去干渉情報に基づいて修正し、及び、上記修正された１以上の負荷測定結果に基づいてスケジューリングヘッドルームを計算する、ための命令を実行し得る。
【００５５】
加えて、上記有効干渉情報は、スケジュールされた拡張専用チャネルに関連付けられる有効除去干渉情報に相当してもよい。
【００５６】
加えて、上記プロセッサは：上記スケジュールされたヘッドルームを計算する際、受信されたスケジュールされた拡張専用チャネル電力（ＲＳＥＰ）をＲＴＷＰ測定結果及びＲＳＥＰＳ測定結果を含む上記１以上の負荷測定結果に基づいて計算し、総除去干渉を計算し、上記ＲＳＥＰ及び上記ＲＴＷＰを上記総除去干渉の上記計算に基づいて修正し、並びに、上記修正されたＲＳＥＰ及び上記修正されたＲＴＷＰに基づいて上記ＲＳＥＰＳを修正する、ようにさらに構成されてもよい。
【図面の簡単な説明】
【００５７】
【図１】一例としてのアップリンクの干渉の寄与を示す図である。
【図２】一例としての無線ネットワーク環境を示す図である。
【図３】図２に描かれている一例としての無線ネットワーク環境の１以上の装置に相当し得る一例としてのコンポーネントを示す図である。
【図４】図２に描かれているＲＢＳに関連付けられる一例としてのコンポーネントを示す図である。
【図５】定義された負荷の量の間の関係を示す図である。
【図６】ここに説明される概念に関連付けられるプロセスに関連するフロー図である。
【図７】ここに説明される概念に関連付けられるプロセスに関連するフロー図である。
【図８】ここに説明される概念に関連付けられるプロセスに関連するフロー図である。
【発明を実施するための形態】
【００５８】
次の詳細な説明は、添付の図面を参照している。異なる図面における同じ参照番号は、同じ又は類似の構成要素を識別し得る。また、次の説明は、本発明を限定しない。ここに使われている“コンポーネント”という用語は、ソフトウエア、ハードウエア、又はハードウエア及びソフトウエアの組み合わせを含むと広く解釈されることを意図されている。
【００５９】
図２は、一例としての無線ネットワーク２００を示している。図示されているように、無線ネットワーク２００は、コアネットワーク（ＣＮ）２０２、無線アクセスネットワーク（ＲＡＮ）２０４、無線ネットワークサブシステム２０６−１及び２０６−２（ＲＮＳ２０６と総称される）、無線ネットワークコントローラ（ＲＮＣｓ）２０８−１及び２０８−２（ＲＮＣ２０８と総称される）、無線基地局（ＲＢＳｓ）２１０−１、２１０−２、２１０−３及び２１０−４（ＲＢＳ２１０と総称される）、ユーザ機器（ＵＥ）２１２−１、２１２−２、２１２−３及び２１２−４（ＵＥ２１２と総称される）、Ｉｕインターフェイス２１４−１及び２１４−２（Ｉｕインターフェイス２１４と総称される）、Ｉｕｂインターフェイス２１８−１、２１８−２、２１８−３、及び２１８−４（Ｉｕｂインターフェイス２１８と総称される）、並びにＵｕインターフェイス２２０−１、２２０−２、２２０−３、及び２２０−４（Ｕｕインターフェイス２２０と総称される）を含んでもよい。１つの実装において、無線ネットワーク２００は、広帯域符号分割多重アクセス（ＷＣＤＭＡ）ベースのネットワークに相当し得る。他の実装において、無線ネットワーク２００は、ＷＣＤＭＡベースのネットワーク以外のネットワークに相当し得る。
【００６０】
ＣＮ２０２は、例えば、ＵＥ２１２の加入者へ多様なサービスを提供する回線交換ドメイン（circuit  switched）及びパケット交換ドメインを含むネットワークであってもよい。例えば、図示されていないが、回線交換ドメインは、移動交換センタ（ＭＳＣｓ：mobile  switching  centers）、ビジタロケーションレジスタ（ＶＬＲｓ：visitor  location  registers）、及びゲートウェイを含んでもよい。パケット交換ドメインは、例えば、ＳＧＳＮ（serving  general  packet  radio  service  (GPRS）  support  nodes）及びＧＧＳＮ（gateway  GPRS  support  nodes）を含んでもよい。またＣＮ２０２は、ホームロケーションレジスタ（ＨＬＲｓ：home  location  registers）、認証センタ（ＡＵＣｓ）、機器識別レジスタ（ＥＩＲ：equipment  identity  registers）などを含んでもよい。
【００６１】
ＲＡＮ２０４は、ＵＥ２１２とＣＮ２０２との間の無線伝送及び無線接続の制御に関与する無線ネットワーク２００の一部であってもよい。１つの実施形態において、ＲＡＮ２０４は、１以上のＲＮＳｓ２０６を含んでもよい。ＲＮＳ２０６は、加入者への無線リンクのリソース割当てを管理してもよい。各ＲＮＳ２０６は、ＲＮＣ２０８及び一群のＲＢＳｓ２１０を含んでもよい。
【００６２】
ＲＮＣ２０８は、一組のセル内における無線リソース管理及び無線接続性を制御してもよい。例えば、ＲＮＣ２０８は、（例えばＣＮ２０２とＵＥ２１２との間の）ユーザデータ伝送について無線アクセスベアラを管理し、無線ネットワークリソースを管理し及び最適化し（例えばアウタループ電力制御並びに流入及び輻輳制御）、並びに／又はソフトハンドオーバを含む移動性を制御してもよい。ＲＮＣ２０８は、さらに後述されるように、流入及び輻輳制御の目的のための負荷情報を決定してもよい。
【００６３】
ＲＮＣ２０８は、Ｉｕｂインターフェイス２１８を介してＲＢＳ２１０を制御してもよい。またＲＮＣ２０８は、Ｉｕインターフェイス２１４を介してＲＡＮ２０４をＣＮ２０２に接続してもよい。ＲＮＣ２０８は、制御ＲＮＣ（controlling  RNC）及びサービス提供ＲＮＣ（serving  RNC）を含んでもよい。例えば、ＲＮＣ２０８−１が、制御ＲＮＣであり、及びＲＮＣ２０８−２が、サービス提供ＲＮＣであってもよい。制御ＲＮＣは、特定の組のセル及びそれらが関連付けられるＲＢＳ２１０の全般的な制御を有してもよい。例えば、ＵＥ２１２がサービス提供ＲＮＣによって制御されないセルにおけるリソースを利用する必要があり得る場合の事例において、当該サービス提供ＲＮＣ（例えばＲＮＣ２０８−２）は、Ｉｕｒインターフェイス２１６を介して制御ＲＮＣ（例えばＲＮＣ２０８−１）に対するこのようなリソースについての要求を発行してもよい。
【００６４】
ＲＢＳ２１０（ノードＢと呼ばれる場合がある）は、１以上のセル内における無線送信及び受信を処理してもよい。各セルは、当該セルにおいてブロードキャストされ得る固有の識別子によって識別されてもよい。いくつかの事例においては、同じ地理的エリアをカバーする１以上のセルがあってもよい。ＲＢＳ２１０は、タイミングアドバンスの計算、アップリンク方向における測定、ヘッドルームのスケジューリング、チャネル符号化、暗号化、復号化、周波数ホッピング、インナループ電力制御、ソフターハンドオーバの結合及び分離、並びに運用及び保守といった、多様な機能を実行してもよい。
【００６５】
ＵＥ２１２は、加入者がＲＡＮ２０４における１以上のセルとの無線リンクを保持することによってサービスにアクセスし得る移動端末を含んでもよい。ＵＥ２１２は、携帯電話、ＰＤＡ（personal  digital  assistant）、モバイルコンピュータ、ラップトップ、及び／又は別のタイプのハンドセット若しくは通信装置を含んでもよい。他の事例において、ＵＥ２１２は、車載端末を含んでもよい。
【００６６】
Ｉｕインターフェイス２１４は、ＣＮ２０２をＲＡＮ２０４と接続してもよい。図１に図示されているように、Ｉｕｒインターフェイス２１６及びＩｕｂインターフェイス２１８は、ＲＡＮ２０４における異なるノードを接続してもよい。Ｕｕインターフェイス２２０は、ＵＥ２１２をＲＢＳ１４４に接続してもよい。ユーザデータは、これらのインターフェイス上のトランスポートベアラで伝送され得る。採用される伝送ネットワークに応じて、トランスポートベアラは、例えばＡＴＭ（Asynchronous  Transfer  Mode）ベースの伝送ネットワークについてはＡＴＭ適応レイヤタイプ２（ＡＡＬ２）接続に、又はＩＰ（Internet  Protocol）ベースの伝送ネットワークについてはＵＤＰ（User  Datagram  Protocol）接続にマッピングされ得る。
【００６７】
図１は、一例としての無線ネットワーク２００を示しているが、他の実装において、より少ない、追加的な、又は異なる装置が採用されてもよい。加えて、又は代わりに、無線ネットワーク２００の１以上の装置は、無線ネットワーク２００の１以上の他の装置によって実行されると説明される１以上の機能を実行してもよい。
【００６８】
図３は、図１において描かれている装置の１つ以上に相当し得る装置３００の一例としてのコンポーネントを示す図である。例えば、装置３００は、ＲＮＣ２０８、ＲＢＳ２１０、及び／又はＵＥ２１２に相当し得る。図示されているように、装置３００は、バス３１０、プロセッサ３２０、メモリコンポーネント３３０、ストレージコンポーネント３４０、入力コンポーネント３５０、出力コンポーネント３６０、及び／又は通信インターフェイス３７０を含んでもよい。
【００６９】
バス３１０は、装置３００のコンポーネント間の通信を可能にするパスを含んでもよい。例えば、バス３１０は、システムバス、アドレスバス、データバス、及び／又はコントロールバスを含んでもよい。またバス３１０は、バスドライバ、バスアービタ、バスインターフェイス、及び／又はクロックを含んでもよい。
【００７０】
プロセッサ３２０は、汎用プロセッサ、マイクロプロセッサ、データプロセッサ、コプロセッサ、ネットワークプロセッサ、ＡＳＩＣ（application  specific  integrated  circuit）、コントローラ、プログラマブルロジックデバイス（programmable  logic  device）、チップセット、ＦＰＧＡ（field  programmable  gate  array）、又は命令を解釈し及び実行し得る任意の他のコンポーネントもしくは一群のコンポーネントを含んでもよい。
【００７１】
メモリコンポーネント３３０は、装置３００の動作及び使用に関連するデータ並びに命令を記憶する任意のタイプのコンポーネントを含んでもよい。例えば、メモリコンポーネント３３０は、ＲＡＭ（random  access  memory）、ＤＲＡＭ（dynamic  random  access  memory）、ＳＲＡＭ（static  random  access  memory）、ＳＤＲＡＭ（synchronous  dynamic  random  access  memory）、ＦＲＡＭ（ferroelectric  random  access  memory）、ＲＯＭ（read  only  memory）、ＰＲＯＭ（programmable  read  only  memory）、ＥＰＲＯＭ（erasable  programmable  read  only  memory）、ＥＥＰＲＯＭ（electrically  erasable  programmable  read  only  memory）、及び／又はフラッシュメモリといった、記憶するコンポーネントを含んでもよい。
【００７２】
ストレージコンポーネント３４０は、ハードディスク（例えば磁気ディスク、光ディスク、光磁気ディスクなど）、ＣＤ（compact  disc）、ＤＶＤ（digital  versatile  disc）、フロッピディスク、カートリッジ、磁気テープ、別のタイプの記憶媒体、又は別のタイプのコンピュータにより読取可能な媒体といった記憶するコンポーネントを、対応するドライブとともに含んでもよい。
【００７３】
またメモリコンポーネント３３０及び／又はストレージコンポーネント３４０は、ＵＳＢ（Universal  Serial  Bus）、メモリスティック、ハードディスク、ＳＩＭ（Subscriber  Identity  Module）などといった、装置３００の外部の及び／又は装置３００から取り外し可能な記憶するコンポーネントを含んでもよい。
【００７４】
入力コンポーネント３５０は、キーボード、キーパッド、マウス、ボタン、スイッチ、音声認識などといった、ユーザが装置３００へ情報を入力することを可能にする機構を含んでもよい。出力コンポーネント３６０は、ディスプレイ、スピーカ、１以上のＬＥＤ（light  emitting  diodes）などといった、ユーザへ情報を出力する機構を含んでもよい。
【００７５】
通信インターフェイス３７０は、装置３００が、他の装置及び／又はシステムとの間で通信することを可能にする任意の送受信機のような機構を含んでもよい。例えば、通信インターフェイス３７０は、イーサネットインターフェイス、光インターフェイス、同軸ケーブルインターフェイス、無線インターフェイス、又は同種のものを含んでもよい。通信インターフェイス３３０は、有線及び／又は無線通信を可能にし得る。
【００７６】
通信インターフェイス３３０は、ＴＣＰ／ＩＰ（transmission  control  protocol/Internet  protocol）、ＡＴＭ（Asynchronous  Transfer  Mode）、ＤＳＬ（digital  subscriber  line）、ＩＳＤＮ（integrated  services  digital  network）、ファイバチャネル、ＳＯＮＥＴ（synchronous  optical  network）、イーサネット、ＩＥＥＥ（Institute  of  Electrical  and  Electronic  Engineers）８０２標準などといった、産業的に公表されたプロトコル標準を実装してもよい。加えて、又は代わりに、通信インターフェイス３３０は、非標準の、私有の、及び／又はカスタマイズされたインターフェイスプロトコルを実装してもよい。通信インターフェイス３３０は、多数のトラフィックフローを処理するために複数の通信インターフェイスを含んでもよい。
【００７７】
後で詳細に説明されるように、装置３００は、ここに説明されるシステム及びサービスに関連するある種の動作を実行してもよい。装置３００は、メモリコンポーネント３３０といった、コンピュータにより読取可能な媒体に含まれるソフトウエアの命令を実行するプロセッサ３２０への応答としてこれらの動作を実行してもよい。コンピュータにより読取可能な媒体は、物理的又は論理的な記憶装置として定義されてもよい。
【００７８】
ソフトウエアの命令は、通信インターフェイス３７０を介して別のコンピュータにより読取可能な媒体又は別の装置からメモリコンポーネント３３０へ読み込まれてもよい。メモリコンポーネント３３０に含まれるソフトウエアの命令は、後述されることになるプロセスをプロセッサ３２０に実行させてもよい。代わりに、配線回路が、ここに説明されるプロセスを実装するためにソフトウエアの命令の代わりに又はソフトウエアの命令と組み合わせて使用されてもよい。そのため、ここに説明される実装は、ハードウエア回路及びソフトウエアのいかなる特定の組み合わせにも限定されない。
【００７９】
図３は、装置３００の一例としてのコンポーネントを示しているが、他の実装において、装置３００は、より少ない、追加的な、及び／又は図３に描かれているものとは異なるコンポーネントを含んでもよい。さらに他の実装において、装置３００の１以上のコンポーネントは、装置３００の１以上の他のコンポーネントによって実行されると説明される１以上の他のタスクを実行してもよい。
【００８０】
図４は、Ｉｕｂ２１８の測定結果を修正するための計算を実行し得るＲＢＳ２１０の一例としてのコンポーネントの図である。議論のため、上記コンポーネントは、Ｉｕｂ測定修正部（Iub  measurement  modifier）４０５と呼ばれることにする。Ｉｕｂ測定修正部４０５は、ＲＴＷＰ、ＲＲＴＷＰ、及び／又はＲＳＥＰＳといったＩｕｂ２１８の測定値を後に示される式に従って修正してもよい。１つの実装において、Ｉｕｂ測定修正部４０５は、ストレージコンポーネント３４０に記憶されたソフトウエアとして実装されてもよい。別の実装において、Ｉｕｂ測定修正部４０５は、プロセッサ３２０といった、ハードウエアとして実装されてもよい。さらに他の実装において、Ｉｕｂ測定修正部４０５は、ハードウエア及びソフトウエアの組み合わせを含んでもよい。
【００８１】
図４は、ＲＢＳ２１０の一例としてのコンポーネントを示しているが、他の実装において、Ｉｕｂ測定修正部４０５は、ＲＢＳ２１０以外の装置のコンポーネントであってもよい。加えて、又は代わりに、後でより十分に説明されるように、Ｉｕｂ測定修正部４０５に関連付けられる機能性は、ＲＢＳ２１０を含む又は除く２以上の装置間で分散された方法で採用されてもよい。
【００８２】
図５は、一例としての負荷の寄与を示す図である。図示されているように、負荷情報は、L_scheduled部５０５（すなわち、スケジュールされた負荷）、L_non-scheduled,own及び他のセルの負荷（L_other）を含み得るL_non-scheduled部５１０、並びに後述されるΔに相当する負荷を含み得るL_other,min５１５を含んでもよい。さらに、図５は、それぞれ相対負荷及び最大相対負荷に相当するL_nr５２０及びL_nr,max５２５を示している。
【００８３】
図５を参照すると、スケジュールしない負荷Lnon-schedは、上で議論されているように自身のセルからのスケジュールされない負荷Lnon-sched,own、及び他セルからの負荷Lotherに分けられてもよい。そのため、１つの実装において、スケジューリングヘッドルームは、次のように表わされ得る：
【００８４】
【数６】
2010518686.tif 000008
【００８５】
いくつかの事例においては、ＲＢＳ２１０において考慮されるスケジューリングヘッドルームは、前述されるようにセル間干渉の寄与に対して頑強であるために、次の式に従って（人為的に）減らされてもよい：
【００８６】
【数７】
2010518686.tif 000009
【００８７】
一方、Δがゼロより大きい場合、ＲＢＳ２１０によって計算されるスケジューリングヘッドルームとＲＮＣ２０８において評価され得るスケジュールされたヘッドルームとの間に不一致があり得る。すなわち、Lother  minがLotherより大きいような実装において、Δは、ゼロより大きい値を有してもよい。図５において図示されているように、例えば、L_other,min５１５の値は、L_otherを超えてもよい。そのため、上の式（２）において示されるように、Δは、ゼロより大きい値を有してもよい。
【００８８】
図５において図示されている負荷の寄与に基づき、ＲＮＣ２０８のＬＥＡは、次の式に従ってスケジュールされない負荷を考慮する必要があり得る：
【００８９】
【数８】
2010518686.tif 000010
【００９０】
一方、ＲＮＣ２０８は、次の式に従ってスケジュールされない負荷を計算してもよいので：
【００９１】
【数９】
2010518686.tif 000011
【００９２】
ゼロでないΔからの影響又は効果は、ＲＳＥＰＳ又はLnrのどちらかを修正することによって計上されてもよい。すなわち、Ｉｕｂ測定修正部４０５は、ＲＳＥＰＳ又はLnrのどちらかを修正してもよい。すでに前述されているように、Lnrは次のように表わされ得る：
【００９３】
【数１０】
2010518686.tif 000012
【００９４】
そのため、Lnrは、ＲＲＴＷＰ及びＲＴＷＰから計算されてもよい。従って、ゼロでないΔからの影響又は効果は、ＲＳＥＰＳ、ＲＴＷＰ、又はＲＲＴＷＰのいずれかを修正することによって計上されてもよい。
【００９５】
式（３）及び（４）に基づき、ＲＳＥＰＳは、次の式に従って修正されてもよい：
【００９６】
【数１１】
2010518686.tif 000013
【００９７】
その際、使用されたスケジュールされた負荷の測定結果を減らすことによって使用された負荷のマージンを増やすことは、非論理的アプローチであるように思われるかもしれない。しかし、このアプローチに対する論理的根拠は、スケジュールされない負荷を計算するためにこの測定が使用されてもよく、当該スケジュールされない負荷は、結果として増やされるということである。
【００９８】
式（３）及び（４）に基づき、
【００９９】
【数１２】
2010518686.tif 000014
【０１００】
であり、そのため
【０１０１】
【数１３】
2010518686.tif 000015
【０１０２】
故に、ＲＲＴＷＰは、次の式に従って修正されてもよい：
【０１０３】
【数１４】
2010518686.tif 000016
【０１０４】
上の式（６）からわかるように、ＲＴＷＰは、次の式に従って修正されてもよい：
【０１０５】
【数１５】
2010518686.tif 000017
【０１０６】
１つの実装において、ＲＲＴＷＰは、頻繁には変わり得ないので、Ｉｕｂ２１８のＲＲＴＷＰの測定結果は、低い頻度でＲＢＳ２１０によってＲＮＣ２０８へ報告されてもよい。加えて、又は代わりに、ＲＲＴＷＰ測定結果は、ＲＲＴＷＰの変化があった場合にのみ報告が発生するように、イベントトリガに基づいて更新されてもよい。
【０１０７】
一方で、ＲＳＥＰＳ又はＲＴＷＰへの測定修正が、考慮されてもよい。例えば、修正されたＲＴＷＰは、修正されたＲＳＥＰＳと同じレポートにおいて報告されてもよい。また、未修正のＲＴＷＰは、別個のメッセージにおいて報告されてもよい。どちらの事例においても、ＲＮＣ２０８がＲＢＳ２１０のスケジューリングヘッドルームに影響を及ぼすマージンについて知らされ得るように、Ｉｕｂ２１８の測定結果への修正が、利用され及びＲＮＣ２０８へ報告されてもよい。
【０１０８】
さらに、ＲＢＳ２１０がマルチユーザ検出器又は干渉除去受信機を採用している場合の事例において、有効干渉の測定は、修正されてもよい。例えば、有効干渉は、検出、信号再生、及び減算が実行された後で決定されてもよい。その後ＲＢＳ２１０は、除去の効果を決定し、及びＲＴＷＰ及びＲＳＥＰＳの計算において有効干渉を考慮してもよい。例えば、ＲＢＳ２１０は、次の式に従って、受信されたスケジュールされた電力Isched及びスケジュールされない電力Inon-schedを、干渉除去の対象となる接続からの電力IschedIC及びInon-schedIC、並びに除去の対象とならないIschednotIC及びInon-schednotICに分けてもよい：
【０１０９】
【数１６】
2010518686.tif 000018
【０１１０】
さらに、ＲＢＳ２１０は、干渉除去の対象となる接続からの有効干渉をそれぞれIschedICeff及びInon-schedICeffと定義してもよい。すなわち、IschedICeff及びInon-schedICeffは、干渉除去スキームの最終ことの後に残っている干渉電力に相当し得る。このような事例において、測定された干渉値は、次の式に従って調整されてもよい：
【０１１１】
【数１７】
2010518686.tif 000019
【０１１２】
故に、上の式（９）、（１０）、（１１）、及び（１２）からわかるように、ＲＴＷＰは、次の式に従って修正されてもよい：
【０１１３】
【数１８】
2010518686.tif 000020
【０１１４】
さらに、上の式（９）、（１０）、（１１）、（１２）、及び（１３）からわかるように、ＲＳＥＰＳは、次の式に従って修正されてもよい：
【０１１５】
【数１９】
2010518686.tif 000021
【０１１６】
この場合もやはり、専用のＲＴＷＰ測定レポートは、カバレッジの決定に特定の関係があり得るので未修正の測定結果を含み得る一方、修正された測定結果を提供するために組み合わされたＲＳＥＰＳ及びＲＴＷＰの測定レポートを使用することは、有益であり得る。
【０１１７】
代わりに、測定修正は、ＲＴＷＰ及び／又はＲＳＥＰＳ測定結果とともにＩｕｂ２１８上で受信される追加情報に基づいて、ＲＮＣ２０８によって決定されてもよい。例えば、追加情報は、次の式に従って表わされ得る除去されたスケジュールされたＥ−ＤＣＨ干渉及び除去されたスケジュールされないＥ−ＤＣＨ干渉を含んでもよい：
【０１１８】
【数２０】
2010518686.tif 000022
【０１１９】
その後ＲＮＣ２０８は、次の一例としての手続に基づいてＲＳＥＰＳを修正することが可能となり得る。例えば、ＲＮＣ２０８は、受信されたスケジュールされたＥ−ＤＣＨ電力（ＲＳＥＰ）をＲＳＥＰＳ及びＲＴＷＰ測定結果を使用して次の式に従って計算してもよい：
【０１２０】
【数２１】
2010518686.tif 000023
【０１２１】
ＲＮＣ２０８は、次の式に従って除去された干渉を合計して計算してもよい：
【０１２２】
【数２２】
2010518686.tif 000024
【０１２３】
ＲＮＣ２０８は、ＲＳＥＰ及びＲＴＷＰを除去された干渉に関連する情報に基づいて次の式に従って修正してもよい：
【０１２４】
【数２３】
2010518686.tif 000025
【０１２５】
ＲＮＣ２０８は、修正されたＲＳＥＰＳを次の式に従って計算してもよい：
【０１２６】
【数２４】
2010518686.tif 000026
【０１２７】
別の実施形態において、スケジュールされたＥ−ＤＣＨ接続以外の接続に対して、干渉除去は、まったく採用されなくてもよく、その場合除去されたスケジュールされたＥ−ＤＣＨ干渉しか報告されなくてもよい。同様に、スケジュールされたＥ−ＤＣＨ接続以外の接続からの除去された干渉は、無視され、及び／又は取るに足りないものとして扱われてもよい。
【０１２８】
図６は、スケジュールされたヘッドルーム負荷を計算する際採用され得る一例としてのプロセス６００を示す図である。１つの実装において、ＲＢＳ２１０のＩｕｂ測定修正部４０５は、プロセス６００の動作の１つ以上を実行してもよい。他の実装において、プロセス６００は、ＲＢＳ２１０を含む又は除く別の装置又は一群の装置によって実行されてもよい。
【０１２９】
プロセス６００は、他セル負荷を計算することから開始し得る（ブロック６０５）。式（１）に関連して説明されたように、スケジュールされたヘッドルーム負荷を計算する場際、他セル負荷が考慮されてもよい。いくつかの事例において、ＲＢＳ２１０は、式（２）に対応するセル間干渉についてのマージンを提供してもよい。例えば、式（２）において示されているように、ＲＢＳ２１０は、デルタマージンに基づいて他セル負荷を計算してもよい。
【０１３０】
デルタマージンがゼロでないか否かという決定がなされ得る（ブロック６１０）。図５において図示されているように、例えば、式（２）に基づいて、デルタマージンは、ゼロ又はゼロでない値を生み出し得る。デルタマージンがゼロでない場合（ブロック６１０−ＹＥＳ）、ＲＳＥＰＳ、ＲＲＴＷＰ、又はＲＴＷＰのうち少なくとも１つの測定結果は、修正されてもよい（ブロック６１５）。例えば、ＲＳＥＰＳ測定結果は、式（５）に基づいて修正されてもよく、ＲＲＴＷＰ測定結果は、式（６）及び（７）に基づいて修正されてもよく、並びにＲＴＷＰ測定結果は、式（８）に基づいて修正されてもよい。
【０１３１】
修正されたＲＷＴＰ及びＲＳＥＰＳの測定レポートが、送信され得る（ブロック６２０）。１つの実装において、ＲＷＴＰ及びＲＳＥＰＳ測定結果の修正は、同じ測定レポートにおいて例えばＲＮＣ２０８へ送信されてもよい。他の実装において、修正されたＲＲＴＷＰは、ある測定レポートにおいて例えばＲＮＣ２０８へ送信されてもよい。加えて、又は代わりに、未修正のＲＴＷＰ測定結果は、修正されたＲＴＷＰ及びＲＳＥＰＳと同じ又は異なるメッセージにおいて報告されてもよい。
【０１３２】
デルタマージンがゼロである場合（ブロック６１０−ＮＯ）、プロセスは終了し得る。例えば、スケジュールされたヘッドルームは、Ｉｕｂ２１８の測定結果に関連付けられる測定結果を修正することなく計算されてもよい。
【０１３３】
図６は、一例としてのプロセス６００を示しているが、他の実装において、より少ない、異なる、又は追加的な動作が実行されてもよい。
【０１３４】
図７は、有効干渉を計算する際採用され得る一例としてのプロセス７００を示す図である。１つの実装において、ＲＢＳ２１０のＩｕｂ測定修正部４０５は、プロセス７００の動作の１つ以上を実行してもよい。他の実装において、プロセス７００は、ＲＢＳ２１０を含む又は除く別の装置又は一群の装置によって実行されてもよい。
【０１３５】
プロセス７００は、干渉除去が実行され得る接続を決定することから開始し得る（ブロック７０５）。例えば、式（９）及び（１０）との関係において説明されるようにフローは、スケジュールされたフロー及びスケジュールされないフローに分けられてもよい。加えて、フローは、干渉除去の対象となるスケジュールされたフロー及び干渉除去の対象とならないスケジュールされたフローに分けられてもよい。さらに、スケジュールされないフローは、干渉除去の対象となるスケジュールされないフロー及び干渉除去の対象とならないスケジュールされないフローに分けられてもよい。
【０１３６】
干渉除去が実行される前の干渉電力が、決定され得る（ブロック７１０）。例えば、１つの実装において受信されたスケジュール電力及びスケジュールされない電力は、干渉除去の対象となる接続及び干渉除去の対象とならない接続からの電力に基づいて干渉スキームが採用される前にそれぞれ決定されてもよい。１つの実装において、干渉電力は、式（９）及び（１０）に基づいて決定されてもよい。
【０１３７】
干渉除去の対象となる接続についての有効干渉が、決定され得る（ブロック７１５）。例えば、ＲＢＳ２１０は、干渉除去スキームが採用された後に干渉除去の対象となる接続について有効干渉を決定してもよい。１つの実装において、測定された有効干渉は、式（１１）及び（１２）に基づき得る。
【０１３８】
ＲＴＷＰの測定が、修正され得る（ブロック７２０）。例えば、ＲＴＷＰは、式（１３）に基づいて修正されてもよい。
【０１３９】
ＲＳＥＰＳの測定が、修正され得る（ブロック７２５）。例えば、ＲＳＥＰＳは、式（１４）に基づいて修正されてもよい。
【０１４０】
修正されたＲＷＴＰ及びＲＳＥＰＳの測定レポートが、送信され得る（ブロック７３０）。１つの実装において、ＲＷＴＰ及びＲＳＥＰＳの修正は、同じ測定レポートにおいて例えばＲＮＣ２０８へ送信されてもよい。加えて、又は代わりに、未修正のＲＴＷＰ測定結果は、修正されたＲＴＷＰ及びＲＳＥＰＳと同じ又は異なるメッセージにおいて報告されてもよい。
【０１４１】
図７は、一例としてのプロセス７００を示しているが、他の実装において、より少ない、異なる、又は追加的な動作が実行されてもよい。
【０１４２】
図８は、有効干渉を計算する際採用され得る一例としてのプロセス８００を示す図である。
【０１４３】
プロセス８００は、干渉除去が実行され得る接続を決定し始め得る（ブロック８０５）。例えば、式（９）及び（１０）との関係において説明されるようにフローは、スケジュールされたフロー及びスケジュールされないフローに分けられてもよい。加えて、フローは、干渉除去の対象となるスケジュールされたフロー及び干渉除去の対象とならないスケジュールされたフローに分けられてもよい。さらに、スケジュールされないフローは、干渉除去に対象となるスケジュールされないフロー及び干渉除去に対象とならないスケジュールされないフローに分けられてもよい。
【０１４４】
干渉除去が実行される前の干渉電力が、決定され得る（ブロック８１０）。例えば、１つの実装において受信されたスケジュール電力及びスケジュールされない電力は、干渉除去対象となる接続及び干渉除去の対象とならない接続からの電力に基づいて干渉スキームが採用される前にそれぞれ決定されてもよい。１つの実装において、干渉電力は、式（９）及び（１０）に基づいて決定されてもよい。
【０１４５】
干渉除去の対象となる接続についての有効干渉が、決定され得る（ブロック８１５）。例えば、ＲＢＳ２１０は、干渉除去スキームが採用された後に干渉除去の対象となる接続について有効干渉を決定してもよい。１つの実装において、測定された有効干渉は、式（１１）及び（１２）に基づき得る。
【０１４６】
干渉除去の対象となるＥ−ＤＣＨ接続についての有効干渉が、決定され得る（ブロック８２０）。例えば、ＲＢＳ２１０は、干渉除去スキームが採用された後に干渉除去の対象となる接続について有効干渉を決定してもよい。１つの実装において、測定された有効干渉は、式（１５）及び（１６）に基づき得る。
【０１４７】
Ｅ−ＤＣＨ接続についての測定レポート及び有効干渉が、送信され得る（ブロック８２５）。例えば、ＲＢＳ２１０は、Ｅ−ＤＣＨ接続に関連付けられた測定レポート及び有効干渉をＲＮＣ２０８へ送信してもよい。
【０１４８】
ＲＴＷＰ及びＲＳＥＰＳの測定結果が、修正され得る（ブロック８３０）。例えば、ＲＮＣ２０８は、式（１７）、（１８）、（１９）、（２０）、及び（２１）に基づいてＲＴＷＰ及びＲＳＥＰＳ測定結果を修正してもよい。
【０１４９】
図８は、一例としてのプロセス８００を示しているが、他の実装において、より少ない、異なる、又は追加的な動作が実行されてもよい。例えば、すでに前述されているように、いくつかの事例において、干渉除去は、スケジュールされたＥ−ＤＣＨ接続以外の接続に対して採用されなくてもよい。このような事例において、プロセス８００は、除去されたＥ−ＤＣＨ干渉しか報告され得ないように修正されてもよい。
【０１５０】
スケジュールされたヘッドルームがＩｕｂ２１８の測定結果（例えば、ＲＴＷＰ、ＲＲＴＷＰ、及びＲＳＥＰＳ）によって反映されるものより小さくなり得るような他の実装とは対照に、ここに説明される概念は、ＲＮＣ２０８及びＲＢＳ２１０が同じ観点のスケジュールされたヘッドルーム及び有効干渉（例えば、Ｅ−ＤＣＨとＤＣＨとの間の実際のバランス）を有するように定め得る。すなわち、例えばＬＥＡ、スケジューラ、受信機の干渉除去の実行、及び／又はＲＮＣ２０８がどのようにスケジュールされない負荷を計算するのかについての知識、から提供されるマージン情報を所与とすると、ＲＮＣ２０８及びＲＢＳ２１０が一致するネットワーク状態の観点を有し得るように、ＲＢＳ２１０は、（観点に関しての）不一致を認識し、並びにＩｕｂ２１８の測定結果及び有効干渉測定結果を修正してもよい。結果として、様々な利点が実現され得る。例えば、ＲＮＣ２０８による流入制御決定は、修正されたＩｕｂ２１８の測定結果に基づいてより正確であり得、これは過多の加入者が流入し得るといった状況を避け得る。例えば、過多の加入者が流入している場合の事例において、アップリンクリソースの大部分は、過度のスケジュールされない負荷をもたらし得るＤＰＣＣＨ上の継続的送信に基づいて利用され得る。加えて、又は代わりに、スケジュールされない負荷の評価がより正確であり得るのでＲＮＣ２０８による流入制御は、スケジュールされたデータについて十分なヘッドルームを提供し得る。加えて、又は代わりに、ＲＮＣ２０８の輻輳制御が、改善され得る。加えて、又は代わりに、ＤＣＨの無線リソース管理（ＲＲＭ）が、より効率的に管理され得る。
【０１５１】
（まとめ）
前述の実装の説明は、実例を提供するが、網羅的であること又は当該実装を開示されたそのままの形に限定することを意図されない。修正及び変形は、上の教示を踏まえると可能であり、又は教示の実践から得られてもよい。例えば、ここに説明される概念は、１以上のネットワーク状態（例えば、ヘッドルーム）の各装置間の不一致が軽減され得るように、機能的な分割（例えば、基地局及び基地局コントローラ）が存在するようなネットワークの任意のタイプに適用され得る。より一般的には、機能的分割（例えば、スケジューリングコンポーネント及び流入コンポーネント）を含む１つの装置又はノードでさえ、ここに記述される概念から恩恵を受け得る。
【０１５２】
加えて、図６及び図７において図示されているプロセスに関して一連のブロックが説明された一方、ブロックの順番は、他の実装において修正されてもよい。さらに、非依存のブロックは、並列に実行されてもよい。さらに、１以上のブロックは、省略されてもよい。
【０１５３】
ここに説明されている観点は、図に示された実装における多くの異なる形のソフトウエア、ファームウエア、及びハードウエアにおいて実装されてもよいことは明らかであろう。観点を実装するために使用された実際のソフトウエアコード又は特化された制御ハードウエアは、本発明を限定しない。そのため、その観点の動作及び作用は、特定のソフトウエアコードを参照することなく記述された−ソフトウエア及び制御ハードウエアは、ここの説明に基づいて観点を実装するように設計され得ることが理解される。
【０１５４】
特徴の特有の組み合わせは請求項において列挙され、及び／又は本明細書において開示されるが、これらの組み合わせは、本発明を限定することを意図されない。実際には、これら特徴の多くは、特に明細書において列挙されず、及び／又は本明細書において開示されない方法で組み合わされてもよい。
【０１５５】
本明細書において使用される場合の“含む”又は“含んでいる”という用語は、記述された特徴、整数値、こと、又はコンポーネントの存在を特定するために用いられるが、１以上の他の特徴、整数値、こと、コンポーネント、またはこれら一群の存在又は追加を除外するものではない。
【０１５６】
本発明の適用において使用される構成要素、活動、又は命令は、ここに説明される実装に不可欠な又は絶対必要なものであると、そのように明確に説明されている場合を除いて、解釈されるべきではない。またここに使用されているように、“a”及び“an”という冠詞は、１以上の事項を含むと意図される。１つの事項しか意図されないところでは、“one”又は同様の言葉が使用されている。さらに、“基づいて”という語句は、明確に別段の記述がされている場合を除いて、“少なくとも一部は、基づいて”と意味することを意図する。ここに使用されているように、“及び／又は”という用語は、１以上の関連付けられたリスト項目のいずれかの及び全ての組み合わせを含む。
【図１】
2010518686.tif 000027
【図２】
2010518686.tif 000028
【図３】
2010518686.tif 000029
【図４】
2010518686.tif 000030
【図５】
2010518686.tif 000031
【図６】
2010518686.tif 000032
【図７】
2010518686.tif 000033
【図８】
2010518686.tif 000034
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
第１の装置によって計算可能なスケジューリングヘッドルームと第２の装置によって計算可能なスケジューリングヘッドルームとの間に不一致が存在するか否かを決定することと；
前記不一致が存在すると決定された場合、前記第２の装置が前記スケジューリングヘッドルームの計算の基礎を置く１以上の負荷測定結果を決定することと；
前記１以上の負荷測定結果を修正することと；
前記修正された１以上の負荷測定結果に基づいて前記スケジューリングヘッドルームを計算することと、
を含む方法。
【請求項２】
前記修正することは：
前記第１の装置によって、前記１以上の負荷測定結果を修正すること、を含み、前記方法は、前記第１の装置によって、前記修正された１以上の負荷測定結果を前記第２の装置へ送信すること、をさらに含む、請求項１の方法。
【請求項３】
さらに：
前記第１の装置によって、前記１以上の負荷測定結果を前記スケジューリングヘッドルームの不一致についての追加情報とともに前記第２の装置へ送信すること；を含み、前記修正することは、前記第２の装置によって、前記１以上の負荷測定結果を前記スケジューリングヘッドルームの不一致に関する上記追加情報に基づいて修正すること、を含む、
請求項１の方法。
【請求項４】
さらに：
拡張専用チャネルに関連付けられる有効干渉除去分を決定すること、を含み、前記拡張専用チャネルに関連付けられる前記有効干渉除去分は、前記追加情報に相当する、
請求項３の方法。
【請求項５】
前記拡張専用チャネルに関連付けられる前記有効干渉除去分を決定することは：
干渉除去プロセスが採用される前に前記スケジュールされた拡張専用チャネルからの干渉を決定することと；
干渉除去プロセスが採用された後に前記スケジュールされた拡張専用チャネルからの干渉を決定することと；
前記干渉除去プロセスの前に決定された前記干渉と、前記干渉除去プロセスの後に決定された前記干渉との間の差分に基づいて前記拡張専用チャネルに関連付けられる前記有効干渉除去分を決定することと：
を含む、請求項４の方法。
【請求項６】
前記決定することは：
他セル負荷を計算すること、
を含む、請求項１の方法。
【請求項７】
前記計算することは：
前記他セル負荷と最小の他セル負荷との間の差分値がゼロでない値を生み出すか否かを決定すること、
を含む、請求項６の方法。
【請求項８】
前記修正することは：
前記差分値が前記ゼロでない値を生み出す場合、Ｉｕｂインターフェイスに関連する前記１以上の負荷測定結果を修正すること、
を含む、請求項７の方法。
【請求項９】
さらに：
第１の装置によって、干渉除去を実行することと；
残っている干渉電力に相当する有効干渉を決定することと、
を含む、請求項１の方法。
【請求項１０】
前記修正することは：
受信されたスケジュールされた電力及び受信されたスケジュールされない電力に関連付けられる前記有効干渉に基づいてＲＴＷＰに対応する前記１以上の負荷測定結果を修正すること、
を含む、請求項９の方法。
【請求項１１】
前記修正することは：
受信されたスケジュールされた電力及び受信されたスケジュールされない電力に関連付けられる前記有効干渉に基づいてＲＳＥＰＳに対応する前記１以上の負荷測定結果を修正すること、
を含む、請求項９の方法。
【請求項１２】
さらに：
前記第１の装置によって、修正されたＲＴＷＰ測定結果及び修正されたＲＳＥＰＳ測定結果を前記第２の装置へ送信すること、
を含む、請求項１の方法。
【請求項１３】
命令を記憶するためのメモリ；
及び、前記命令を実行するためのプロセッサ、
を含む装置であって：
前記プロセッサは、
前記装置と別の装置との間にスケジューリングヘッドルームに関連する不一致が存在するか否かを決定し、
前記不一致が存在すると決定された場合、前記装置及び前記他の装置との間で共有されるインターフェイスに関連付けられる電力測定結果を修正し、及び、
前記他の装置に修正された電力測定結果を提供する：
ための命令を実行するプロセッサである、
装置。
【請求項１４】
前記プロセッサは：スケジューリングヘッドルームに関連する不一致が存在するか否かを決定する際、
セル間干渉に基づいて他セル負荷を計算する、
ように構成される、請求項１３の装置。
【請求項１５】
前記プロセッサは：前記他セル負荷を計算する際、
最小の他セル負荷が前記他セル負荷を超えるか否かを決定する、
ように構成される、請求項１４の装置。
【請求項１６】
前記プロセッサは：前記電力測定結果を修正する際、
前記不一致が存在すると決定された場合、修正されたＲＴＷＰ測定結果、修正されたＲＲＴＷＰ測定結果、又は修正されたＲＳＥＰＳ測定結果のうち少なくとも１つを計算する、
ように構成される、請求項１３の装置。
【請求項１７】
前記インターフェイスは、Ｉｕｂインターフェイスを含む、請求項１６の装置。
【請求項１８】
前記プロセッサは：計算する際、
前記修正されたＲＴＷＰ測定結果、前記修正されたＲＲＴＷＰ測定結果、又は前記修正されたＲＳＥＰＳ測定結果のうち少なくとも１つを最小の他セル負荷と他セル負荷との間の差分に等しい差分値に基づいて計算する、
ように構成される、請求項１６の装置。
【請求項１９】
前記プロセッサは：
干渉除去が実行された後の有効干渉を決定する、
ための命令をさらに実行する、請求項１３の装置。
【請求項２０】
前記プロセッサは：前記電力測定結果を修正する際、
修正されたＲＴＷＰ測定結果又は修正されたＲＳＥＰＳ測定結果のうち少なくとも１つを前記有効干渉に基づいて計算する、
ように構成される、請求項１９の装置。
【請求項２１】
前記プロセッサは：前記他の装置に前記修正された電力測定結果を提供する際、
前記修正されたＲＴＷＰ測定結果及び前記修正されたＲＳＥＰＳ測定結果を前記他の装置に提供し；
及び、未修正のＲＴＷＰ測定結果を前記他の装置に提供する、
ように構成される、請求項２０の装置。
【請求項２２】
前記プロセッサは：前記有効干渉を決定する際、
干渉除去の対象となる接続及び干渉除去の対象とならない接続を決定する、
ように構成される、請求項１９の装置。
【請求項２３】
前記装置は無線基地局であり、前記他の装置は無線ネットワークコントローラである、請求項１３の装置。
【請求項２４】
無線基地局によって実行可能な命令を含むコンピュータにより読取可能な媒体であって：
前記無線基地局と無線ネットワークコントローラとの間にスケジュールしない負荷に関連する不一致が存在するか否かを決定するための１以上の命令と；
前記スケジュールしない負荷の不一致が存在する場合、１以上のインターフェイス測定結果を修正するための１以上の命令と；
修正された１以上のインターフェイス測定結果を前記無線ネットワークコントローラへ送信するための１以上の命令と、
を含むコンピュータにより読取可能な媒体。
【請求項２５】
前記決定するための１以上の命令は：
最小の他セル負荷の値が他セル負荷の値を超えるか否かを計算するための１以上の命令、
を含む、請求項２４のコンピュータにより読取可能な媒体。
【請求項２６】
前記計算するための１以上の命令は：
前記最小の他セル負荷の値が前記他セル負荷の値を超える量である差分値を生成するための１以上の命令、
を含む、請求項２５のコンピュータにより読取可能な媒体。
【請求項２７】
前記１以上のインターフェイス測定結果は、ＲＳＥＰＳ測定結果を含み、前記修正するための１以上の命令は：
前記ＲＳＥＰＳ測定結果から前記差分値を差し引くための１以上の命令、
を含む、請求項２６のコンピュータにより読取可能な媒体。
【請求項２８】
前記修正するための１以上の命令は：
前記１以上のインターフェイス測定結果を前記差分値に基づいて修正するための１以上の命令、
を含む、請求項２７のコンピュータにより読取可能な媒体。
【請求項２９】
前記１以上のインターフェイス測定結果は、ＲＴＷＰ測定結果、ＲＲＴＷＰ測定結果、又はＲＳＥＰＳ測定結果のうち少なくとも１つを含む、請求項２７のコンピュータにより読取可能な媒体。
【請求項３０】
前記１以上のインターフェイス測定結果は、Ｉｕｂインターフェイスに関連する、請求項２４のコンピュータにより読取可能な媒体。
【請求項３１】
さらに：
干渉除去スキームが実行された後に干渉電力を決定するための１以上の命令、
を含む、請求項２４のコンピュータにより読取可能な媒体。
【請求項３２】
さらに：
１以上の修正されたインターフェイス測定結果を前記干渉電力に基づいて計算するための１以上の命令、
を含む、請求項３１のコンピュータにより読取可能な媒体。
【請求項３３】
前記干渉電力に基づいて修正された１以上のインターフェイス測定結果は、修正されたＲＴＷＰ測定結果を含む、請求項３２のコンピュータにより読取可能な媒体。
【請求項３４】
前記干渉電力に基づいて修正された１以上のインターフェイス測定結果は、修正されたＲＳＥＰＳ測定結果を含む、請求項３２のコンピュータにより読取可能な媒体。
【請求項３５】
命令を記憶するためのメモリ；並びに
スケジューリングヘッドルームの不一致の決定に関連付けられる１以上の負荷測定結果及び有効除去干渉情報を受信し；
前記１以上の負荷測定結果を前記有効除去干渉情報に基づいて修正し；
及び、前記修正された１以上の負荷測定結果に基づいてスケジューリングヘッドルームを計算する；
ための前記命令を実行するためのプロセッサ：
を含む装置。
【請求項３６】
前記有効除去干渉情報は、スケジュールされた拡張専用チャネルに関連付けられる有効除去干渉情報に相当する、請求項３５の装置。
【請求項３７】
前記プロセッサは：前記スケジュールされたヘッドルームを計算する際、
受信されたスケジュールされた拡張専用チャネル電力（ＲＳＥＰ）をＲＴＷＰ測定結果及びＲＳＥＰＳ測定結果を含む前記１以上の負荷測定結果に基づいて計算し、
総除去干渉を計算し、
前記ＲＳＥＰ及び前記ＲＴＷＰを前記総除去干渉の前記計算に基づいて修正し、
並びに、前記修正されたＲＳＥＰ及び前記修正されたＲＴＷＰに基づいて前記ＲＳＥＰＳを修正する、
ようにさらに構成される、請求項３６の装置。
【請求項３８】
さらに：
前記第２の装置によって、流入制御又は輻輳制御パラメータのうち少なくとも１つを前記修正されたＲＴＷＰ測定結果又は前記修正されたＲＳＥＰＳ測定結果のうち少なくとも１つに基づいて計算すること、
を含む、請求項１２の方法。
【国際調査報告】
2010518686.tif 000035
2010518686.tif 000036
2010518686.tif 000037
2010518686.tif 000038